(57)【要約】【課題】所定の手順を行うことなく水源側継手と吸水継手との連結を解除した場合でも、使用者や想定以上の広い周囲を濡らしてしまうことのない高圧洗浄機を提供する。【解決手段】ポンプ機構２１と、外部水源に接続された水源側継手と連結可能な吸水継手１６と、吸水継手１６とポンプ機構２１とを繋ぐ吸水経路と、を備える高圧洗浄機において、吸水経路の吸水継手１６側には、ポンプ機構２１から吸水継手１６に向かう水の流れを弱める逆流緩衝装置７０が配置されている。【選択図】  図８
2015120114.tif 000002
【特許請求の範囲】
【請求項１】
ポンプ機構と、
外部水源に接続された水源側継手と連結可能な吸水継手と、
前記吸水継手と前記ポンプ機構とを繋ぐ吸水経路と、を備える高圧洗浄機において、
前記吸水経路の前記吸水継手側には、前記ポンプ機構から前記吸水継手に向かう水の流れを弱める逆流緩衝装置が配置されていることを特徴とする高圧洗浄機。
【請求項２】
前記逆流緩衝装置は、水の流れによって傾動する弁体が形成されたシート状弁部材と、前記弁体の上流側に配置され前記弁体が当接可能な当接部と、を備えていることを特徴とする請求項１に記載の高圧洗浄機。
【請求項３】
前記当接部は、前記吸水継手に形成されていることを特徴とする請求項２に記載の高圧洗浄機。
【請求項４】
前記ポンプ機構は、電動モータにより駆動され、
前記吸水経路は、前記モータを冷却するためのキャビティを含んでいることを特徴とする請求項１〜４に記載の高圧洗浄機。
【発明の詳細な説明】
【技術分野】
【０００１】
本発明は、家庭などで用いられる高圧洗浄機に関するものである。
【背景技術】
【０００２】
従来から、強力な圧力で水を吹き付けることで、床や壁、あるいはコンクリートなどにこびりついた汚れを落とすことのできる高圧洗浄機が知られている。一般的な高圧洗浄機は、下記特許文献１及び２に開示されるように、駆動源となる電動モータと、電動モータによって駆動されることで、外部水源から供給される水を加圧して高圧水を発生させるポンプ機構とを備えており、ポンプ機構で発生させた高圧水は、ポンプ機構と高圧ホースで接続されたノズルガン等の吐水装置から吐出される。
【０００３】
外部水源としては、水道が一般的に使用される。水道を使用する場合は、水道に接続した吸水ホースの端部に設けた水源側継手を、高圧洗浄機が備える吸水継手に連結して使用する。
【先行技術文献】
【特許文献】
【０００４】
【特許文献１】特開２０１２−２１７９７８号公報
【特許文献２】特表２０１２−５０８６４４号公報
【発明の概要】
【発明が解決しようとする課題】
【０００５】
上述の高圧洗浄機において、その使用を終えるときは、所定の手順で高圧洗浄機や高圧ホースの内部の水（残留水）を抜いた上で、吸水ホースや吐水装置等を取り外して収納することになる。
【０００６】
ところが、所定の手順を踏まず、吸水ホースの水源側継手を高圧洗浄機の吸水継手から取り外した場合、高圧洗浄機内部の残留水が、その残圧により、吸水継手から噴出し、使用者や想定以上の広い周囲を濡らしてしまう場合がある。特に、水源側継手と吸水継手との連結の利便性を図るために、水源側継手と吸水継手とを迅速継手とした場合、瞬時に連結が解除されるため、残留水の噴出はより顕著となる。
【０００７】
本発明は、上述した課題の存在に鑑みてなされたものであって、その目的は、所定の手順を行うことなく水源側継手と吸水継手との連結を解除した場合でも、使用者や想定以上の広い周囲を濡らしてしまうことのない高圧洗浄機を提供することである。
【課題を解決するための手段】
【０００８】
本発明に係る高圧洗浄機は、ポンプ機構と、外部水源に接続された水源側継手と連結可能な吸水継手と、前記吸水継手と前記ポンプ機構とを繋ぐ吸水経路と、を備える高圧洗浄機において、前記吸水経路の前記吸水継手側には、前記ポンプ機構から前記吸水継手に向かう水の流れを弱める逆流緩衝装置が配置されていることを特徴とする。
【０００９】
また、本発明に係る高圧洗浄機においては、前記逆流緩衝装置は、水の流れによって傾動する弁体が形成されたシート状弁部材と、前記弁体の上流側に配置され前記弁体が当接可能な当接部と、を備えて構成することができる。
【００１０】
さらに、本発明に係る高圧洗浄機においては、前記当接部は、前記吸水継手に形成することができる。
【００１１】
またさらに、本発明に係る高圧洗浄機においては、前記ポンプ機構は、電動モータにより駆動され、前記吸水経路は、前記モータを冷却するためのキャビティを含んで構成することができる。
【発明の効果】
【００１２】
本発明によれば、所定の手順を踏まず水源側継手を外した場合でも、使用者や想定以上の広い周囲を濡らしてしまうことのない高圧洗浄機を提供することができる。
【図面の簡単な説明】
【００１３】
【図１】本実施形態に係る高圧洗浄機の全体構成を示した外観斜視図である。
【図２】本実施形態に係る高圧洗浄機の外観正面図である。
【図３】本実施形態に係る高圧洗浄機の外郭を構成する筐体の前面側を取り外した状態を示す図である。
【図４】本実施形態に係る高圧洗浄機の内部構成を説明するための縦断面正面図である。
【図５】本実施形態に係る高圧洗浄機の内部構成を説明するための縦断面側面図であり、図２中のＡ−Ａ断面視を示している。
【図６】本実施形態に係る吸水継手周辺部材の分解図である。
【図７】迅速継手を説明する図であり、（ａ）は、水源側継手単体の状態を示しており、（ｂ）は、吸水継手を連結した状態を示している。
【図８】本実施形態に係る高圧洗浄機の要部拡大断面図であり、（ａ）は、水源側継手からの吸水がない状態を示しており、（ｂ）は、水源側継手からの吸水が行われている状態を示している。
【図９】（ａ）は、図８の断面Ｂ-Ｂを示す図であり、（ｂ）は、逆流緩衝装置の弁体を示す図である。
【図１０】本発明の他の実施形態に係る高圧洗浄機の要部拡大断面図であり、（ａ）は、吸水経路の残圧により弁体が変形した状態を示している。また、（ｂ）は、（ａ）の断面Ｃ-Ｃを示す図である。
【図１１】（ａ）は、図１０の断面Ｄ-Ｄを示す図であり、（ｂ）は、逆流緩衝装置の弁体を示す図である。
【発明を実施するための形態】
【００１４】
以下、本発明を実施するための好適な実施形態について、図面を用いて説明する。なお、以下の実施形態は、請求項に係る発明を限定するものではなく、また、実施形態の中で説明されている特徴の組み合わせの全てが発明の解決手段に必須であるとは限らない。
【００１５】
また、図面は、主に高圧洗浄機の本体部を示しており、高圧水を吐出する吐水装置（ノズルガン等は省略されている。
【００１６】
はじめに、図１〜図５を参照して、本実施形態に係る高圧洗浄機の全体構成について説明する。
【００１７】
本実施形態に係る高圧洗浄機１０は、図３で示されるように、駆動源となる電動モータ１２が収納されたモータユニット１１と、電動モータ１２によって駆動されることで、水源から供給される水を加圧して高圧水を発生させるポンプ機構２１と、ポンプ機構２１と接続される高圧ホース３０を巻き取るホースリール３１と、を備えて構成されている。
【００１８】
図４に示すように、モータユニット１１の内部には、不図示の電源から供給される外部電力によって回転駆動する電動モータ１２が収納されている。この電動モータ１２は、界磁束発生源である回転子１３と、この回転子１３を回転させる回転磁界を発生するための固定子１４とから構成されている。回転子１３は、モータ軸１３ａを有して構成されているとともに、モータ軸１３ａの先端には斜板１３ｂが取り付けられている。電動モータ１２は、斜板１３ｂの回転運動を後述するポンプ機構２１に伝達することで、駆動源としての機能を発揮する。一方、固定子１４は、モータユニット１１内で固定設置されている。
【００１９】
また、本実施形態に係るモータユニット１１には、水源から供給される水を、電動モータ１２を冷却するための冷却水として導通させるキャビティ１５が、電動モータ１２の外周を取り囲むように形成されている。このキャビティ１５は、固定子１４に接触するとともに固定子１４の周りを取り囲むように設置される金属製の内方ケーシング１５ａと、この内方ケーシング１５ａのさらに外周を取り囲むように設置される外方ケーシング１５ｂとによって形成されており、その空間形状は、略円筒形状となるように構成されている。
【００２０】
内方ケーシング１５ａは、固定子１４から伝達される熱をキャビティ１５内の冷却水に効率よく伝達するために、例えばアルミニウム合金等の熱伝導性の高い金属で構成されている。また、キャビティ１５からの冷却水の漏れを確実に防ぐために、内方ケーシング１５ａと外方ケーシング１５ｂとの間には、Ｏリング１５ｃが設置されている。なお、本実施形態では、２つのＯリング１５ｃが設置されている。
【００２１】
また、図３及び図５に示すように、本実施形態に係るモータユニット１１では、略円筒形状をしたキャビティ１５の軸方向一端側下部に吸水口が形成された吸水継手１６を設けるとともに、軸方向他端側上部に吐水継手１７を設けることとした。かかる構成により、キャビティ１５内で冷却水が効率よく旋回流となって循環するので、内方ケーシング１５ａから伝達される電動モータ１２（固定子１４）の熱を効率よくキャビティ１５外部へと運び出すことが可能となっている。また、かかる構成により、キャビティ１５内の冷却水は澱みなく循環するので、キャビティ１５内部には冷却水の止水領域が発生し難い。よって、効率の良い冷却効果を得ることが可能となっている。
【００２２】
キャビティ１５内を通過し吐水口が形成された吐水継手１７から吐出する水（冷却水）は、吐水継手１７に接続される接続ホース１７ａを経由してポンプ機構２１の下部に供給されることとなる。吸水継手１６からキャビティ１５、吐水継手１７、接続ホース１７ａを経由してポンプ機構２１に至る経路が本発明の吸水経路に相当する。また、この吸水経路において吸水継手１６の近傍には逆流緩衝装置７０が設けられている。
【００２３】
以上のように、本実施形態に係るモータユニット１１は、水冷式の冷却機構を備えて構成されているので、冷却ファンを備える必要がない。つまり、冷却風を取り込むための開口部を筺体５１に設ける必要がないので、外部に漏れる騒音が非常に少なくなる構成となっている。
【００２４】
一方、ポンプ機構２１は、斜板１３ｂを介してモータユニット１１と動力伝達可能に接続する部材である。本実施形態に係るポンプ機構２１では、略水平方向で往復運動を行う３つのピストン２２が、この斜板１３ｂの軸端面側の傾斜面に埋め込み設置されたスラストベアリング１３ｃと接触状態で設置されている。３つのピストン２２には、バネ２２ａが設置されており、常にはバネ２２ａの作用によってスラストベアリング１３ｃ側へ突出する方向（すなわち、図４における紙面右方向）に弾性力が加わるとともに、このバネ２２ａの弾性力に抗する横向き（図４における紙面左方向）の力が加わると、ピストン２２が左方向へと移動するように構成されている。つまり、３つのピストン２２のそれぞれは、略水平方向（左右方向）で往復ピストン運動ができるように構成されている。
【００２５】
そして、斜板１３ｂに埋め込み設置されたスラストベアリング１３ｃと３つのピストン２２とが接触するポンプ内領域２３は潤滑油で満たされており、スラストベアリング１３ｃと３つのピストン２２との良好な接触状態が実現するように構成されている。したがって、電動モータ１２が駆動されてモータ軸１３ａが回転駆動すると、この回転駆動力によって斜板１３ｂが回転駆動されることとなるが、斜板１３ｂが回転駆動されると、斜板１３ｂの軸端面側に形成された傾斜面の作用によってスラストベアリング１３ｃが傾斜した状態で回転運動を行うので、このスラストベアリング１３ｃによって３つのピストン２２が順に反斜板方向（図４における紙面左方向）へ押し込まれるとともに、この方向への押し込みを解除され、３つのピストン２２が順に往復ピストン運動を行うようになっている。
【００２６】
３つのピストン２２の先には、接続ホース１７ａを経由して送られてくる水が誘導される。３つのピストン２２の設置箇所の左側位置に誘導された水は、ピストン２２による往復ピストン運動の作用によって加圧されて、高圧水が生成されることとなる。
【００２７】
ポンプ機構２１によって加圧されて生成された高圧水は、高圧ホース３０に誘導され、外部への高圧洗浄作業に用いられることとなる。本実施形態に係る高圧洗浄機１０は、高圧ホース３０を巻き取るためのホースリール３１を備えており、高圧ホース３０の長さを作業環境に応じて調節できるようになっている。なお、ホースリール３１には、リールの回転操作を容易に実現できるように、ハンドル３２が設置されている。このハンドル３２は、筐体５１の右側面に形成された収納凹部５４に対して取り出し・収納自在となっており、高圧洗浄機１０の操作性の向上や装置のコンパクト化が図られている。
【００２８】
上述したモータユニット１１、ポンプ機構２１、及びホースリール３１については、高圧洗浄機１０の外郭を構成する筐体５１に対して収納設置されており、これにより、本実施形態に係る高圧洗浄機１０は、一体感のある優れた外観が実現できている。この筐体５１は、前面側と後面側を構成する前後半割部材を組み合わせることで構成されている。また、筐体５１の上部中央位置には筐体５１と一体的に形成された把持部５２が設けられており、さらに、把持部５２の後方には、筐体５１の上面から所定量突出することができる可動式把持部５２ａが設けられている。筺体５１の後面上部には、後面から後方へ延設した後さらに上方へ延設した形状の吸水ホース掛け５８が形成されている。この吸水ホース掛け５８は、水源から高圧洗浄機１０へ水を供給するための吸水ホース８１を不使用時に掛け回して保管するためのものであり、収納時の利便性を向上することができる。さらに、吸水ホース掛け５８の下方の後面には、高圧洗浄機１０へ電力を供給するための給電ケーブルを不使用時に掛け回して保管するための給電ケーブル掛け５９が設けられており、同様に、収納時の利便性を向上することができる。筐体５１の下部後方位置には左右一対のタイヤ５３が配置されており、筐体５１の下部前方位置には使用者が踏みつけることができるステップ部５６が形成されている。
【００２９】
本実施形態に係る高圧洗浄機１０は、図１〜図５で例示するような自立状態にあるときには、左右一対のタイヤ５３と筐体５１の前方底面側に形成される接地部５１ａが接地することになる。モータユニット１１とポンプ機構２１は、筐体５１の下方位置において、左右一対のタイヤ５３の接地位置と接地部５１ａとの前後方向のほぼ中央位置に配置されており（図５参照）、さらに、モータユニット１１とポンプ機構２１は、左右方向において横並びに配置されている（図４参照）。また、ホースリール３１は、筺体５１の上方位置において、回転軸線を左右方向として、モータユニット１１のほぼ真上に配置されている。すなわち、重量物であるモータユニット１１とポンプ機構２１が筐体５１の下方の位置に配置されるとともに、これらより比較的重量の小さいホースリール３１が筐体５１の上方の位置に配置されているので、本実施形態に係る高圧洗浄機１０は非常に良好な重量バランスを有しており、安定した自立状態が実現可能となっている。さらに、上述の配置により、高圧洗浄機１０の重心は、左右一対のタイヤ５３の接地位置と接地面５１ａとの前後方向のほぼ中央を通ることになるので、より安定した自立状態が実現可能となっている。なお、自立状態においては、使用者がステップ部５６を踏みつけることで、さらに安定した自立状態を維持することも可能である。
【００３０】
上述の構成により、ホースリール３１に高圧ホース３０を巻き取る際、あるいはホースリール３１から高圧ホース３０を引き出す際の負荷により高圧洗浄機１０が転倒する可能性を著しく低減することができる。さらに、ホースリール３１から高圧ホース３０を引き出す際にステップ部５６を踏みつけることで、転倒する可能性をさらに低減することができる。
【００３１】
なお、高圧洗浄機１０の移動時には、使用者が把持部５２あるいは可動式把持部５２ａを持って高圧洗浄機１０を後方側に傾けることで、筐体５１の下部後方に位置する左右一対のタイヤ５３が回転可能となるので、把持部５２あるいは可動式把持部５２ａを後方側に傾けながら後方側に引くことで、高圧洗浄機１０の移動が容易に可能となる。
【００３２】
また、本実施形態のモータユニット１１とポンプ機構２１については、筐体５１内での安定した設置状態を維持するために、モータユニット１１とポンプ機構２１それぞれの筐体５１対向面に対して、筺体５１の内面側と接続する支持部５５が形成されている。本実施形態の支持部５５は、図３および５で示されるように、円筒形をした凸部として形成されており、筐体５１の内面側に設けられた支持部５５を収納するための凹部５７と嵌合することで、筐体５１内におけるモータユニット１１とポンプ機構２１の安定した設置状態が実現されている。なお、この支持部５５と、支持部５５を収納するための筐体５１側の凹部５７の形状については、あらゆる形状を採用することができる。また、支持部５５については、防振や防音等の効果を得るために、弾性部材を採用することが好適である。
【００３３】
以上、本実施形態に係る高圧洗浄機１０の基本構成について説明した。次に、本実施形態に係る高圧洗浄機１０が備える逆流緩衝装置７０の詳細構成について、図６〜図９を参照図面に加えて説明を行う。
【００３４】
図５及び図６に示すように、本実施形態に係る高圧洗浄機１０の外方ケーシング１５ｂの下方には、吸水継手１６が接続される吸水管７１がその基端部を固定して設置されている。吸水管７１は、その先端部外周面に雄ネジ７１ａが形成されており、また、その内部にはフィルタ部材７２が設置されている。吸水継手１６は、雄ネジ７１ａと螺合する雌ネジ１６ａが形成された大径穴１６ｂと、大径穴１６ｂと連通して形成された小径孔１６ｃとを有している。大径穴１６ｂの底面１６ｇには、環状溝１６ｄが形成されており、環状溝１６ｄの内周側に小径孔１６ｃが開口された環状端面１６ｅが形成されている。また、底面１６ｇと環状端面１６ｅは同一平面内に形成されている。小径孔１６ｃに対応する位置の外周面は、水源側継手と連結可能な雄継手形状１６ｆとして形成されている。本実施形態においては、水源側継手として、図７で示す一般的な迅速継手８０を採用している。迅速継手８０は、水道等に接続される吸水ホース８１を連結するホース連結部８２と、吸水継手１６の雄継手形状１６ｆと連結及び連結解除可能な連結部８３と、図７（ｂ）で示すように、吸水継手１６の雄継手形状１６ｆとの連結時のみ水源側からの通水を可能とする逆流防止弁８４とを備えている。連結部８３は、操作することで連結及び連結解除をワンタッチで行うことができる操作部材８５を備えている。なお、迅速継手８０の構造は周知のものなので、さらに詳細な説明は省略する。
【００３５】
吸水管７１と吸水継手１６とは雄ネジ７１ａと雌ネジ１６ａにより螺着されている。また、吸水管７１と吸水継手１６の間には、下流側である吸水管７１側からシール部材７３、シート状弁部材７４の順に重ねて挟持されている。シール部材７３は、ゴム等の弾性を有する材質からなり、環状に形成されている。シート状弁部材７４は、図９（ｂ）に示されるように、円盤形状の樹脂シートの中央部に略Ｃ字形状の切り込み７５を形成した部材であり、切り込み７５の内側部分である弁体７７が外側部分７８に対して傾動可能な構成となっている。シート状弁部材７４は、外側部分７８が吸水継手１６の底面１６ｇとシール部材７３に挟持されることで、弁体７７が外側部分７８に対して傾動可能な状態で吸水経路内に設置されている。また、略Ｃ形状の切り込み７５の両端には、弁体７７の傾動による切り込み７５端部からのクラックの発生を防止するために、小さい孔７６，７６が打ち抜いて形成されている。また、図９（ａ）に示されるように、シート状弁部材７４の弁体７７は、吸水継手１６の環状端面１６ｅよりひと回り大きく形成されている。このように、シート状弁部材７４は、樹脂シートの打ち抜き加工と切り込み加工で成形できるので、廉価に製造することができる。
【００３６】
上述の構成の高圧洗浄機１０において、水道を水源として洗浄作業を行っている時は、シート状弁部材７４の弁体７７は、図８（ｂ）に示すように、吸水経路内をポンプ機構２１に向かって流れる水の作用により、下流側であるフィルタ部材７２の方向に傾動しており、水の流通の妨げとはならない。なお、図８（ｂ）では迅速継手８０及び吸水ホース８１の図示を省略している。
【００３７】
洗浄作業が終了した際は、所定の手順により高圧洗浄機１０の吸水経路に残っている残留水を外部に排出した後、水源側継手である迅速継手８０と吸水継手１６との連結を解除することになっているが、誤って、所定の手順による残留水の排出を行わないで迅速継手８０と吸水継手１６との連結を解除した場合、残留水がその残圧により吸水継手１６から噴出することになるが、上述の実施形態の高圧洗浄機１０においては、逆流緩衝装置７０が設けられているので、残留水の噴出する勢いを弱めることができる。以下に、その詳細について説明する。
【００３８】
本実施形態に係る高圧洗浄機１０において、水源側継手である迅速継手８０と吸水継手１６との連結がなされている時は、吸水継手１６からポンプ機構２１に至る吸水経路内の圧力は、水道圧と等しい状態が維持されている。この状態から迅速継手８０と吸水継手１６との連結を解除した場合、迅速継手８０においては、逆流防止弁８４が機能することで、水源である水道水の噴出が防止される。一方、吸水継手１６側においては、図８（ａ）に示されるように、吸水経路内の残留水の圧力（残圧）がシート状弁部材７４の弁体７７に作用することで、弁体７７は、上流側の環状端面１６ｅに当接する。この環状端面１６ｅが本発明の当接面に相当する。弁体７７が環状端面１６ｅに当接することで、上流側の小径孔１６ｃへ繋がる流路が塞がれる。ただし、弁体７７は、樹脂シートからなるため、残圧の負荷により変形が発生することによる水密性の低下と、切り込み７５によるわずかな隙間の存在により、残留水が逆流し吸水継手１６から流出することになるが、その勢いは弱く、使用者を濡すことや、想定外に広い範囲を濡らすことはない。また、この流出により、吸水経路内の残留水を排出できるので、残留水が凍結することによる装置の損傷を防止できる。なお、本実施形態におけるシート状弁部材７４と環状端面１６ｅとが、本発明の逆流緩衝装置に相当する。
【００３９】
次に、本発明の他の実施形態に係る高圧洗浄機について、図１０と図１１を参照して説明する。なお、本実施形態は、上述の実施形態からシート状弁部材７４のみを変更したものであるので、その変更に関連する内容のみについて説明する。
【００４０】
本発明の他の実施形態に係る高圧洗浄機においては、シート状弁部材１７４は、図１１（ｂ）に示されるように、円盤形状の樹脂シートの中央部に略コの字形状の切り込み１７５を形成した部材であり、切り込み１７５の内側部分である弁体１７７が外側部分１７８に対して傾動可能な構成となっている。シート状弁部材１７４は、外側部分１７８が吸水継手１６の底面１６ｇとシール部材７３に挟持されることで、弁体１７７が外側部分１７８に対して傾動可能な状態で吸水経路内に設置されている。また、略コの形状の切り込み１７５の両端には、弁体１７７の傾動による切り込み１７５端部からのクラックの発生を防止するために、小さい孔１７６，１７６が打ち抜いて形成されている。また、図１１（ａ）に示されるように、略コの字形状の切り込み１７５は、吸水継手１６の小径孔１６ｃと重なって形成されており、弁体１７７の紙面左右方向の幅は、吸水継手１６の小径孔１６ｃの直径より小さく形成されている。弁体１７７の紙面上下方向の長さは、環状端面１６ｅを跨いで形成されている。このように、シート状弁部材１７４は、樹脂シートの打ち抜き加工と切り込み加工で成形できるので、廉価に製造することができる。
【００４１】
洗浄作業が終了した際は、所定の手順により高圧洗浄機の吸水経路に残っている残留水を外部に排出した後、水源側継手である迅速継手８０と吸水継手１６との連結を解除することになっているが、誤って、所定の手順による残留水の排出を行わないで迅速継手８０と吸水継手１６との連結を解除した場合、残留水がその残圧により吸水継手１６から噴出することになるが、上述の実施形態の高圧洗浄機においては、逆流緩衝装置１７０が設けられているので、残留水の噴出する勢いを弱めることができる。以下に詳細について説明する。
【００４２】
本実施形態の他の実施形態に係る高圧洗浄機において、水源側継手である迅速継手８０と吸水継手１６との連結がなされている時は、吸水継手１６からポンプ機構２１に至る吸水経路内の圧力は、水道圧と等しい状態が維持されている。この状態から迅速継手８０と吸水継手１６との連結を解除した場合、迅速継手８０においては、逆流防止弁８４が機能することで、水源である水道水の噴出が防止される。一方、吸水継手１６側においては、吸水経路内の残留水の圧力（残圧）がシート状弁部材１７４の弁体１７７に作用することで、弁体１７７は、吸水継手１６の環状端面１６ｅに当接することになる。この環状端面１６ｅが本発明の当接面に相当する。環状端面１６ｅへの弁体１７７の当接範囲は、略コの字形状の切り込み１７５により、図１０（ａ）に示されるように、紙面上下方向の２箇所に限定されるため、弁体１７７は、残圧の負荷により、反フィルタ部材７２の方向に凸形状となる変形が発生する。この変形により形成される隙間から残留水が流出することになるが、この隙間を流れるときに流動抵抗が発生する。また、図１０（ｂ）に矢印線で示されるように、隙間から流出する残留水の流れは、弁体１７７の作用で偏向されて小径孔１６ｃの内壁面側に衝突した後、小径孔１６ｃの軸線方向に偏向される。したがって、吸水継手１６から噴出する残留水の勢いが弱められることになるので、使用者を濡すことや、想定外に広い範囲を濡らすことを回避できる。また、この流出により、吸水経路内の残留水を排出できるので、残留水が凍結することによる装置の損傷を防止できる。なお、本実施形態におけるシート状弁部材１７４と環状端面１６ｅとが、本発明の逆流緩衝装置１７０に相当する。
【００４３】
以上、本発明の好適な実施形態について説明したが、本発明の技術的範囲は上記実施形態に記載の範囲には限定されない。上記実施形態には、多様な変更又は改良を加えることが可能である。
【００４４】
例えば、上述の実施形態においては、シート状弁部材７４，１７４は、樹脂製のシートから製造されていたが、樹脂に限定されない。例えば、ゴムや金属のシートから製造しても良い。
【００４５】
また、例えば、上述の実施形態においては、吸水継手１６の底面１６ｃと環状端面１６ｅとは同一平面内に形成されていたが、環状端面１６ｅを底面１６ｃに対して反フィルタ部材の方向にオフセットして形成してもよい。この場合は、弁体７７，１７７が環状端面１６ｅに当接したときに弁体７７，１７７の周りに形成される隙間が拡大されるため、上述の実施形態と比して、残留水の噴出する勢いの低減効果は減少するが、残留水の排出を早く終えることができる。
【００４６】
さらに、例えば、上述の実施形態の高圧洗浄機においては、吸水経路は、電動モータ１２を冷却するためのキャビティ１５を含んで構成されていたが、吸水経路にキャビティを含まなくても良い。
【００４７】
その様な変更又は改良を加えた形態も本発明の技術的範囲に含まれ得ることが、特許請求の範囲の記載から明らかである。
【符号の説明】
【００４８】
１０  高圧洗浄機、１１  モータユニット、１２  電動モータ、１３  回転子、１３ａ  モータ軸、１３ｂ  斜板、１３ｃ  スラストベアリング、１４  固定子、１５  キャビティ、１５ａ  内方ケーシング、１５ｂ  外方ケーシング、１５ｃ  Ｏリング、１６  吸水継手、１６ａ  雌ネジ、１６ｂ  大径穴、１６ｃ  小径孔、１６ｄ  環状溝、１６ｅ  環状端面、１６ｆ  雄継手形状、１６ｇ  底面、１７  吐水継手、１７ａ  接続ホース、２１  ポンプ機構、２２  ピストン、２２ａ  バネ、２３  ポンプ内領域、３０  高圧ホース、３１  ホースリール、３２  ハンドル、５１  筐体、５１ａ  接地部、５２  把持部、５２ａ  可動式把持部、５３  タイヤ、５４  収納凹部、５５  支持部、５６  ステップ部、５７  凹部、５８  吸水ホース掛け、５９  給電ケーブル掛け、７０  逆流緩衝装置、７１  吸水管、７１ａ  雄ネジ、７２  フィルタ部材、７３  シール部材、７４  シート状弁部材、７５  切り込み、７６  孔、７７  弁体、７８  外側部分、８０  迅速継手、８１  吸水ホース、８２ホース連結部、８３  連結部、８４  逆流防止弁、８５  操作部材、１７０  逆流緩衝装置、１７４  シート状弁部材、１７５  切り込み、１７６  孔、１７７  弁体、１７８  外側部分
【図１】
2015120114.tif 000003
【図２】
2015120114.tif 000004
【図３】
2015120114.tif 000005
【図４】
2015120114.tif 000006
【図５】
2015120114.tif 000007
【図６】
2015120114.tif 000008
【図７】
2015120114.tif 000009
【図８】
2015120114.tif 000010
【図９】
2015120114.tif 000011
【図１０】
2015120114.tif 000012
【図１１】
2015120114.tif 000013